(57)【要約】【課題】簡単な構造で、趣向性の高い貯金箱を提供すること。【解決手段】硬貨収容ケースと、硬貨収容ケースを被覆し、前記硬貨収容ケースに対して揺動自在で揺動によって起立状態と傾倒状態とを取り得る殻体と、前記殻体に設けられ、硬貨を投入するための硬貨投入口と該硬貨投入口から投入された硬貨を排出するための硬貨吐出口とが形成された硬貨投入部と、を備え、前記殻体は、起立状態に付勢され所定枚数の硬貨が前記硬貨投入部に投入された場合に硬貨重量によって傾倒状態に移行するように構成され、前記硬貨収容ケースには、前記殻体が傾倒状態となったときに前記硬貨吐出し口と対向して前記硬貨投入部にある硬貨を硬貨重量によって該硬貨収容ケース内に落下させる硬貨落下口が設けられている。【選択図】図３
2010000127.tif 000002
【特許請求の範囲】
【請求項１】
硬貨収容ケースと、
硬貨収容ケースを被覆し、前記硬貨収容ケースに対して揺動自在で揺動によって起立状態と傾倒状態とを取り得る殻体と、
前記殻体に設けられ、硬貨を投入するための硬貨投入口と該硬貨投入口から投入された硬貨を排出するための硬貨吐出口とが形成された硬貨投入部と、を備え、
前記殻体は、起立状態に付勢され所定枚数の硬貨が前記硬貨投入部に投入された場合に硬貨重量によって傾倒状態に移行するように構成され、
前記硬貨収容ケースには、前記殻体が傾倒状態となったときに前記硬貨吐出し口と対向して前記硬貨投入部にある硬貨を硬貨重量によって該硬貨収容ケース内に落下させる硬貨落下口が設けられていることを特徴とする貯金箱。
【請求項２】
前記殻体は人形の腰から上の部分又は上半身の外観を呈しており、前記硬貨収容ケースには残りの人形の脚部分又は下半身の外観を呈する支持部材が設けられており、前記支持部材は前記殻体から下方に突出していることを特徴とする請求項１に記載の貯金箱。
【請求項３】
前記硬貨投入部は募金箱の外観を呈していることを特徴とする請求項２に記載の貯金箱。
【請求項４】
前記硬貨投入部に硬貨が投入されたことを検知する硬貨投入検知センサと、前記硬貨投入検知センサの検知信号に基づいて音声を発生する音声発生手段とを備えたことを特徴とする請求項１から３いずれか一項に記載の貯金箱。
【請求項５】
前記殻体が傾倒状態に移行したことを検知する傾倒状態検知センサと、前記傾倒状態検知センサの検知信号に基づいて音声を発生する音声発生手段とを備えたことを特徴とする請求項１から４いずれか一項に記載の貯金箱。
【発明の詳細な説明】
【技術分野】
【０００１】
本発明は、貯金箱に関するもので、さらに詳しくは、硬貨によって殻体が動作する貯金箱に関するものである。
【背景技術】
【０００２】
硬貨によって殻体が作動される貯金箱としては、特許文献１，２等に示すものがある。
特許文献１に開示された貯金箱は、回動腕の先端（手のひらに相当する）にコインを載せると、コインの重量によって腕が作動され、それによってスイッチが投入されて、モータが駆動され、頭部が上方に回動して口を開き、回動腕が上動してコインを胴体内に投入するとともに、舌が左右に揺動する。
また、特許文献２に開示された貯金箱は、硬貨ボックスに硬貨が投入されると、該ボックスがハウジングに対して下動され、それに伴ってアームが回動される。このハウジングをぬいぐるみに内装させ、アームをぬいぐるみの手に内装させれば、投入されて貯蓄された硬貨の重量に対応して、ぬいぐるみの手が上方に移動されることになる。
【特許文献１】実開昭６３−１２０６９３号公報（図１乃至図６参照）
【特許文献２】実用新案登録第３１３６０８５号公報（図１，図２および図４参照）
【発明の開示】
【発明が解決しようとする課題】
【０００３】
ところで、上記特許文献１に開示された貯金箱は、趣向性が高いが、構造が複雑であり、それだけ高価になってしまう。特許文献２に開示された貯金箱は、構造が簡単ではあるが、硬貨を投入する毎に、ぬいぐるみの手が僅かに上昇するだけであるので、趣向性に乏しい。
【０００４】
本発明の目的は、簡単な構造で、且つ、趣向性の高い貯金箱を提供することにある。
【課題を解決するための手段】
【０００５】
請求項１の発明は、
硬貨収容ケースと、
硬貨収容ケースを被覆し、前記硬貨収容ケースに対して揺動自在で揺動によって起立状態と傾倒状態とを取り得る殻体と、
前記殻体に設けられ、硬貨を投入するための硬貨投入口と該硬貨投入口から投入された硬貨を排出するための硬貨吐出口とが形成された硬貨投入部と、を備え、
前記殻体は、起立状態に付勢され所定枚数の硬貨が前記硬貨投入部に投入された場合に硬貨重量によって傾倒状態に移行するように構成され、
前記硬貨収容ケースには、前記殻体が傾倒状態となったときに前記硬貨吐出し口と対向して前記硬貨投入部にある硬貨を硬貨重量によって該硬貨収容ケース内に落下させる硬貨落下口が設けられていることを特徴とする貯金箱である。
【０００６】
請求項２の発明は、請求項１に記載の貯金箱であって、前記殻体は人形の腰から上の部分又は上半身の外観を呈しており、前記硬貨収容ケースには残りの人形の脚部分又は下半身の外観を呈する支持部材が設けられており、前記支持部材は前記殻体から下方に突出していることを特徴とする。
【０００７】
請求項３の発明は、請求項２に記載の貯金箱であって、前記硬貨投入部は募金箱の外観を呈していることを特徴とする。
【０００８】
請求項４の発明は、請求項１から３いずれか一項に記載の貯金箱であって、前記硬貨投入部に硬貨が投入されたことを検知する硬貨投入検知センサと、前記硬貨投入検知センサの検知信号に基づいて音声を発生する音声発生手段とを備えたことを特徴とする。
【０００９】
請求項５の発明は、請求項１から４いずれか一項に記載の貯金箱であって、前記殻体が傾倒状態に移行したことを検知する傾倒状態検知センサと、前記傾倒状態検知センサの検知信号に基づいて音声を発生する音声発生手段とを備えたことを特徴とする。
【発明の効果】
【００１０】
請求項１の発明によれば、所定枚数の硬貨を殻体の硬貨投入部に投入すると、その硬貨の重量で殻体が傾倒状態に移行し、硬貨を硬貨収容ケースに向けて排出した後に初期状態に戻る。したがって、今までにない斬新な貯金箱を実現できることから、趣向性が高く、しかも、モータ等の動力を使用しないので、簡単な構造で、安価な貯金箱が得られる。また、複数の硬貨の投入を投入したときに、殻体が傾倒状態となるように構成すれば、鹿威しのようなイメージが醸し出されるので、より趣向性が高いものとなる。
【００１１】
請求項２の発明によれば、殻体が人形の腰から上の部分又は上半身の外観を呈しているので、人形が金銭を受け取った際のお礼を言っているかのようなイメージが醸し出されることになる。したがって、より趣向性の高い貯金箱が得られる。
【００１２】
請求項３の発明によれば、人形が募金活動をしているかのイメージが醸し出されることになる。したがって、より趣向性の高い貯金箱が得られる。
【００１３】
請求項４の発明によれば、硬貨が殻体に投入されると、それに対応して、メッセージ等を発するので、より趣向性の高い貯金箱が得られる。
【００１４】
請求項５の発明によれば、殻体が揺動すると、それに対応して、メッセージ等を発することができるので、より趣向性の高い貯金箱が得られる。
【発明を実施するための最良の形態】
【００１５】
以下に、本発明に係る貯金箱の一実施形態を、図面を参照しながら説明する。
図１は、本発明に係る貯金箱の姿勢態様を示した斜視図、図２は、その貯金箱の分解斜視図、図３は、図１の貯金箱に対応した姿勢の断面図、図４は、音声発生手段を示したブロック図である。
【００１６】
図１に示した貯金箱１は台座１０と人形とを備えている。人形は、募金箱の外観を呈する硬貨投入箱３を手部２５で持った形となっている。この貯金箱１によれば、人形は常態では図１（Ａ）の姿勢（起立状態）を採る。そして、貯金箱１の硬貨投入箱３に硬貨Ａを所定枚数投入すると、硬貨Ａの重量によって、図１（Ｂ）のように人形がお辞儀をした姿勢（傾倒状態）を一時的に採った後、図１（ａ）の姿勢に復帰する。
【００１７】
図２に示すように、貯金箱１は、人形の腰から上の部分の外観を呈した殻体である人形上部殻体２と、この人形上部殻体２の内部に設置される硬貨収容ケース４とを備えている。
後者の硬貨収容ケース４について説明すれば、硬貨収容ケース４は球形に形成されている。硬貨収容ケース４は、その内部が中空となっており、その中空部分が硬貨収容部を構成している。また、硬貨収容ケース４の周壁には硬貨落下口５と硬貨排出口６とか形成されている。そして、この硬貨収容ケース４によれば、硬貨落下口５から導入された硬貨Ａを硬貨収容ケース４内に蓄え、硬貨収容ケース４に蓄えた硬貨Ａを硬貨排出口６から排出するように構成されている。なお、硬貨収容ケース４の硬貨排出口６には、蓋８が着脱自在に装着され、この蓋８を外すことによって硬貨Ａを排出するようになっている。
また、硬貨収容ケース４の底部には、人形の脚部の外観を呈する支持部材である二つの脚部９が垂設されている。この二つの脚部９は台座１０の上面に固着されている。この場合の固着は、ねじや接着剤等によってなされている。
また、硬貨収容ケース４の周壁には、周壁両側部に軸７を備えている。この軸７は、人形上部殻体２を該軸７を中心に回動自在に支持するものである。
【００１８】
一方、人形上部殻体２は、前部殻体部分２ａと後部殻体部分２ｂとを含んで構成されている。
前部殻体部分２ａの周壁前面中間部には、硬貨投入箱３の下部が挿入される孔１８が形成されている。
また、前部殻体部分２ａの周壁両側部には軸受け孔１９が形成されている。そして、この貯金箱１においては、この軸受け孔１９と硬貨収容ケース４の軸７とを互いに嵌合させ、硬貨収容ケース４を前後から挟み込むようにして後部殻体部分２ｂを前部殻体部分２ａに重ね合わせ、それらをねじ２３等によって互いに結合させることによって、硬貨収容ケース４に人形上部殻体２が組み付けられる。
さらに、前部殻体部分２ａの周壁両側部には座ぐり孔２４が形成されている。座ぐり孔２４には、硬貨投入箱３の支持部を構成する手部２５の突起２５ａが嵌合され、これによって、手部２５が前部殻体部分２ａに備え付けられている。手部２５には先端部内側に突起２５ｂが形成されている。この手部２５の突起２５ｂは、硬貨投入箱３の孔３ａに嵌合されることによって、硬貨投入箱３を前部殻体部分２ａに支持させる。
また、前部殻体部分２ａの周壁下部には二つのスリット２０が並んで形成されている。この二つのスリット２０には二つの脚部９が挿入される。この二つのスリット２０は、硬貨収容ケース４の周りで人形上部殻体２が揺動するのを許容する働きをする。
一方、後部殻体部分２ｂには、人形の尻部に対応する部分に硬貨取出し口２１が形成されており、該硬貨取出し口２１は、重りを兼ねた蓋２２が着脱自在に装着される。なお、この場合の重りは蓋２２とは別に設けても良い。また、特別な重りを設けなくても良い。要は、所定枚数の硬貨Ａが硬貨投入箱３に投入されない間、付勢（重力作用による付勢やばねによる付勢）によって人形に起立姿勢を採らせ得るような構造であれば良い。
【００１９】
台座１０は、有底筒状の台座本体１１と、開口を閉塞する蓋体１２とによって構成されている。そして、台座本体１１には、底面に開口する電池収容部１３が形成され、該電池収容部１３の開口には、蓋体１４がねじ１５等によって装着される。一方、蓋体１２には、放音孔１６が形成され、該放音孔１６の下にはスピーカ３２が取り付けられる。なお、蓋体１２は、特に限定はされないが、台座本体１１に挿通させたねじ１７によって台座本体１１に取り付けられる。
【００２０】
このように構成された貯金箱１は、硬貨投入箱３に所定枚数、この実施形態では３枚の硬貨Ａが投入されるまでは、図１（Ａ）および図３（Ａ）に示すように、人形上部殻体２が上を向いた状態にある。この状態では、硬貨投入箱３の硬貨吐出口３ｂが硬貨収容ケース４の周面によって閉塞されている。
硬貨投入箱３に３枚の硬貨Ａが収容されると、その重量によって、人形上部殻体２が図１（Ｂ）および図３（Ｂ）に示すように硬貨収容ケース４の周りで揺動される。すると、硬貨投入箱３の硬貨吐出口３ｂが硬貨収容ケース４の硬貨落下口５に対向し、それによって、硬貨投入箱３内の硬貨Ａは、硬貨落下口５から硬貨収容ケース４の内部に落下する。
すると、硬貨投入箱３は、軽くなるため、人形上部殻体２は、蓋（重り）２２の付勢力によって、図１（Ａ）および図３（Ａ）の状態に復帰される。
【００２１】
以上が貯金箱１の基本的な構成及び動作であるが、本実施形態の貯金箱１では、さらに、音声発生手段３０を備えている。
【００２２】
音声発生手段３０は、電池と、スピーカ３２と、硬貨投入箱３内に硬貨Ａが投入されたことを検出する硬貨投入検知センサ３３と、人形上部殻体２が傾倒状態に移行したことを検知する傾倒状態検知センサ３４と、センサ３３，３４の信号に基づいて、予め記憶させておいたメッセージを選択し、選択したメッセージをスピーカ３２から発しさせる制御装置３５とから構成されている。
このうち電池、スピーカ３２及び制御装置３５は台座１０に収容される。センサ３３は、硬貨投入箱３内に設けても良いし、投入した硬貨が硬貨収容ケース４に突き当たる箇所に設けても良い。一方、センサ３４は、硬貨収容ケース４と人形上部殻体２との間に設けても良いし、人形上部殻体２又は硬貨収容ケース４側に設けても良い。台座１０から人形への配線は人形の脚部９内を通して行われる。なお、センサ３３，３４は、接点スイッチやリーフスイッチ等であっても良いし、フォトセンサ等の光学的に検知するタイプのものであってもよい。図にはこれらが模式的に示されている。センサ３３は硬貨の当接によって硬貨投入を検知するスイッチであり、センサ３４は二つが接触することによって傾倒状態を検知するスイッチである。
【００２３】
以上のように構成された音声発生手段３０では、センサ３３，３４からの信号に基づいて選択された音声がスピーカ３２から発せられる。例えば、硬貨Ａが硬貨投入箱３に最初に投入されたときに、それをセンサ３３で検知し、スピーカ３２から「もっとちょうだい」等のメッセージを発生させる。そして、人形上部殻体２が傾倒状態となったのをセンサ３４で検知したときは、そのセンサ３４の検知信号に基づいて、スピーカ３２から「まいどあり」等のメッセージを発生させる。
なお、センサ３３，３４の検知信号に基づいてスピーカ３２から発せられるメッセージを数種類用意し、それをランダムに選択するようにすることもできる。
【００２４】
以上、本発明の実施形態について説明したが、本発明は、かかる実施形態に限定されるものではなく、その要旨を逸脱しない範囲で種々変形可能であることは言うまでもない。
【００２５】
例えば、音声発生手段３０に、人形上部殻体２を初期位置にロックするロック手段を付加させ、硬貨収容ケース４内に硬貨Ａが満杯になったときに、それをセンサ等で検知し、そのセンサ等の検知信号によって、人形上部殻体２をロックし、硬貨Ａを硬貨投入箱３に投入しようとしたときに、スピーカ３２から「もういらない」等の音声を発生させるようにすることもできる。
【００２６】
また、ロック手段を付加させることなく、制御装置３５で硬貨収容ケース４の導入された硬貨数をカウントし、所定枚数に達した状態で、硬貨投入箱３からコインＡが投入され、それをセンサ３３で検知したときに、スピーカ３２から「もういらない」等のメッセージを発するようにすることもできる。
【００２７】
また、上記実施形態では、人形に本発明を適用した場合について説明したが、築造物、造形物、自然物を模したものにも適用できることは言うまでもない。
【図面の簡単な説明】
【００２８】
【図１】（Ａ），（Ｂ）は、本発明に係る貯金箱の各姿勢態様を示した斜視図で、（Ａ）は初期位置の姿勢を示し、（Ｂ）は揺動された位置の姿勢をしめしている。
【図２】本発明に係る貯金箱の分解斜視図である。
【図３】（Ａ），（Ｂ）は、図１の貯金箱に対応した姿勢の断面図である。
【図４】本発明に係る貯金箱の音声発生手段を示したブロック図である。
【符号の説明】
【００２９】
１    貯金箱
２    人形上部殻体
２ａ    前部殻体部分
２ｂ    後部殻体部分
３    硬貨投入箱（硬貨投入部）
３ｂ    硬貨吐出口
３ｃ    硬貨投入口
４    硬貨収容ケース
５    硬貨落下口
６    硬貨排出口
１０    台座
３０    音声発生手段
３５    制御装置
Ａ    硬貨
【図１】
2010000127.tif 000003
【図２】
2010000127.tif 000004
【図３】
2010000127.tif 000005
【図４】
2010000127.tif 000006